【手続補正書】
【提出日】平成16年1月6日(2004.1.6)
【手続補正１】
【補正対象書類名】明細書
【補正対象項目名】特許請求の範囲
【補正方法】変更
【補正の内容】
【特許請求の範囲】
【請求項１】
第１基板と、
前記第１基板と平行に対面し、前記第１基板との間の空間で以て、放電ガスによって満たされる複数の放電空間を形成する第２基板と、
前記複数の放電空間に接するように前記第１基板の前記第２基板との対向面上に配設されており、前記複数の放電空間の各々に対応して第１及び第２壁電荷を蓄積しうる、誘電体と、
前記第２基板の前記第１基板との対向面上に互いに平行に配設されており、可視光領域の光を反射し得ると共に、それぞれは第１側面部と、前記第１側面部に対向する第２側面部と、前記第１及び第２側面部に連続する第１頂上部とを備える複数の第１隔壁と、
前記第２基板の前記対向面上に、前記複数の第１隔壁が配設される方向と交差する方向に配設された前記可視光領域の光を反射し得る第２隔壁と、
前記複数の第１隔壁の内で互いに隣接する第１隔壁により挟まれた前記第２基板の前記対向面上と、前記隣接する第１隔壁の内の一方における前記第１側面部上及び他方における前記第２側面部上とに付着され、前記第１及び第２壁電荷間における放電により生ずる紫外線に基づき可視光を発生する蛍光体とを備えたことを特徴とする、
面放電型プラズマディスプレイパネル。
【請求項２】
請求項１記載の面放電型プラズマディスプレイパネルであって、
前記第２隔壁は、
第３側面部と、
前記第３側面部に対向する第４側面部と、
前記第３及び第４側面部に連続する第２頂上部とを備え、
前記蛍光体は、更に前記第２隔壁の前記第３及び第４側面部上にも付着されていることを特徴とする、
面放電型プラズマディスプレイパネル。
【請求項３】
請求項２記載の面放電型プラズマディスプレイパネルであって、
前記第２基板から前記複数の第１隔壁における前記第１頂上部に至る第１高さと、前記第２基板から前記第２隔壁の前記第２頂上部に至る第２高さとは、略等しいことを特徴とする、
面放電型プラズマディスプレイパネル。
【請求項４】
請求項２記載の面放電型プラズマディスプレイパネルであって、
前記第２基板から前記第２隔壁における前記第２頂上部に至る第２高さは、前記第２基板から前記第１隔壁における前記第１頂上部に至る第１高さよりも低いことを特徴とする、
面放電型プラズマディスプレイパネル。
【請求項５】
請求項４記載の面放電型プラズマディスプレイパネルであって、
前記蛍光体は、更に前記第２隔壁の前記第２頂上部上にも付着されていることを特徴とする、
面放電型プラズマディスプレイパネル。
【請求項６】
請求項４記載の面放電型プラズマディスプレイパネルであって、
前記第２高さは、
前記隣接する第１隔壁と、前記第２隔壁の前記第２頂上部と、前記誘電体とにより規定される気体の流路に対応する排気コンダクタンスと、前記第１基板から外部へ放射される表示光の輝度との相関関係に基づき、設定されていることを特徴とする、
面放電型プラズマディスプレイパネル。
【請求項７】
請求項６記載の面放電型プラズマディスプレイパネルであって、
前記第１高さ及び前記第２高さをそれぞれ記号Ｈmain、Ｈsubと表記し、
前記第２隔壁の幅を記号Ｌと表記し、
前記流路に内接する四角形の内で最大面積の四角形に関して、前記第２頂上部側の第１側辺の長さを記号ｂと表記し、前記第１側辺に直交する第２側辺の長さを記号ａと表記すると共に、
前記第２側辺長ａを（Ｈmain−Ｈsub）として定義し、
前記排気コンダクタンスを決定する形状因子βを、
β＝（ａ・ｂ）2／（（ａ＋ｂ）・Ｌ）
として定義すると、
前記形状因子βは、
１．５Ｅ−４ｍｍ2≦β＜（Ｈmain・ｂ）2／（（Ｈmain＋ｂ）・Ｌ）
で与えられる関係を満足することを特徴とする、
面放電型プラズマディスプレイパネル。
【請求項８】
請求項４記載の面放電型プラズマディスプレイパネルであって、
前記第２高さは、
前記複数の放電空間の全てがプライミング放電を起こし得る最小のプライミング電圧に基づき、設定されていることを特徴とする、
面放電型プラズマディスプレイパネル。
【請求項９】
請求項８記載の面放電型プラズマディスプレイパネルであって、
前記第１高さ及び前記第２高さをそれぞれ記号Ｈmain、Ｈsubと表記し、
前記第２隔壁の幅を記号Ｌと表記し、
高低差（Ｈmain−Ｈsub）を記号ａとして表記し、
前記任意の第１隔壁の内の前記一方の前記第１側面部と前記他方の前記第２側面部との間隔を記号ｂとして表記し、
前記放電ガスの圧力を記号ｐとして表記し、
放電形状因子Ｋを、
Ｋ＝（ａ・ｂ）／（ｐ・Ｌ）
として定義すると、
前記放電形状因子Ｋは０．０３μｍ／Ｔｏｒｒ以上であることを特徴とする、
面放電型プラズマディスプレイパネル。
【請求項１０】
請求項２記載の面放電型プラズマディスプレイパネルであって、
その各々が、前記第１基板の前記対向面上に第１方向に沿って互いに平行に延長形成された第１及び第２表示電極より成り、かつ、それらの電極が各表示ラインを構成する、前記誘電体で被覆される複数の電極対を更に備え、
前記第２基板は、
その各々が、前記任意の第１隔壁間に位置するように、前記第１方向に直交する第２方向に沿って延長配設された、複数のアドレス電極を備え、
前記複数の放電空間の各々は、前記複数の電極対の内で対応する一つの電極対と、前記一つの電極対にあたかも直交するように配設されている、前記複数のアドレス電極の内で対応する一つのアドレス電極とによって規定されており、
前記第１及び第２表示電極は共に、
透明導電膜と、
前記透明導電膜の前記複数の放電空間との対向面であって、隣の表示ライン側の領域上に設けられた金属電極とを備えており、
前記第２隔壁は前記第１方向に沿って延長形成されており、
前記複数の第１隔壁は前記第２方向に沿って延長形成されており、
前記第２隔壁は、
前記第２基板の前記対向面上における、
前記複数の放電空間の内で前記第２隔壁によって隣りの放電空間と隔離される放電空間に対応する前記第１表示電極を構成する前記金属電極と対面する第１領域内に設けられていることを特徴とする、
面放電型プラズマディスプレイパネル。
【請求項１１】
請求項１０記載の面放電型プラズマディスプレイパネルであって、
前記第２隔壁の前記第３側面部が、
前記第２基板の前記対向面上における、
前記第１表示電極を構成する前記金属電極が形成された部分を除く、前記透明導電膜の部分に対面する第２領域内にあることを特徴とする、
面放電型プラズマディスプレイパネル。
【請求項１２】
請求項１１記載の面放電型プラズマディスプレイパネルであって、
前記第２隔壁は、更に、
前記第２基板の前記対向面上における、
前記隣りの放電空間に対応する前記第２表示電極を構成する前記金属電極と対面する第３領域内に設けられており、かつ、
前記第２隔壁の前記第４側面部が、
前記第２基板の前記対向面上における、
前記第２表示電極を構成する前記金属電極が形成された部分を除く、前記透明導電膜の部分に対面する第４領域内にあることを特徴とする、
面放電型プラズマディスプレイパネル。
【請求項１３】
請求項２記載の面放電型プラズマディスプレイパネルであって、
その各々が、表示ラインを構成するように、前記第１基板の前記対向面上に第１方向に沿って互いに平行に延長形成され、前記誘電体によって被覆された第１及び第２表示電極からなる複数の電極対を備え、
前記第２基板は、
その各々が、前記隣接する第１隔壁間に位置するように、前記第１方向に直交する第２方向に沿って延長配設された、複数のアドレス電極を備え、
前記複数の放電空間が、各々、前記複数の電極対と前記複数のアドレス電極との交差部分によって規定されており、
前記第２隔壁及び前記他の第２隔壁は共に前記第１方向に沿って延長形成されると共に、
前記複数の第１隔壁は前記第２方向に沿って延長形成されており、
前記複数の放電空間の各々に対応して前記第２隔壁の少なくとも第３側面部又は第４側面部の何れかが設けられていることを特徴とする、
面放電型プラズマディスプレイパネル。
【請求項１４】
請求項１０ないし請求項１３の何れかに記載の前記面放電型プラズマディスプレイパネルと、
前記第１及び第２表示電極並びに前記複数のアドレス電極のそれぞれに印加すべき駆動信号を生成・出力する駆動制御部とを備えることを特徴とする、
面放電型プラズマディスプレイ装置。
【請求項１５】
（ａ）  第１基板との間に、放電ガスで満たされる複数の放電空間を定め、且つ、第２方向に沿って延長形成された複数のアドレス電極を備える第２基板を準備する工程と、
（ｂ）  互いに隣り合う第１隔壁の間に前記複数のアドレス電極の各々が位置するように、前記第２方向に互いに平行に第１間隔を隔てて延長形成された複数の第１隔壁と、
前記複数の第１隔壁と直交するように、前記第２方向に直交する第１方向に沿って互いに平行に第２間隔を隔てて延長形成された複数の第２隔壁とを、前記第２基板上に形成する工程と、
（ｃ）  前記複数の第１隔壁の内で互いに隣接する第１隔壁により挟まれた前記第２基板の領域上と、前記隣接する第１隔壁の内の一方における第１側面部上と、当該第１側面部に対面する他方における第２側面部上とに、蛍光体を付着させる工程とを含むことを特徴とする、
面放電型プラズマディスプレイパネルの製造方法。
【請求項１６】
請求項１５記載の面放電型プラズマディスプレイパネルの製造方法であって、
前記工程（ａ）は、
（ａ−１）  前記第１及び第２間隔に基づき定められた網目状パターンを備えるマスクを生成するための部材を準備する工程を含み、
前記工程（ｂ）は、前記部材より前記マスクを生成し、前記マスクに基づき前記複数の第１隔壁と前記複数の第２隔壁とを同時に形成する工程であることを特徴とする、
面放電型プラズマディスプレイパネルの製造方法。
【請求項１７】
請求項１６記載の面放電型プラズマディスプレイパネルの製造方法であって、
前記工程（ａ−１）は、
（ａ−１−２）  ガラスペーストを準備する工程と、
（ａ−１−３）  所定の感光性フィルムを前記部材として準備する工程とを更に含み、
前記工程（ｂ）は、
（ｂ−１）  所定の厚みの前記ガラスペーストを前記第２基板上に全面的に形成する工程と、
（ｂ−２）  前記ガラスペーストの表面上に前記感光性フィルムを貼付しリソグラフィ法によって前記網目状パターンを備える乾燥フィルムレジストを前記マスクとして形成し、前記乾燥フィルムレジストの網目をなす開孔部を介して露出する前記ガラスペーストの露出表面より前記ガラスペーストをサンドブラスト法により穿設し、穿設孔が前記第２基板に達するまで前記サンドブラスト法による穿設を続行する工程とを含むことを特徴とする、
面放電型プラズマディスプレイパネルの製造方法。
【請求項１８】
請求項１７記載の面放電型プラズマディスプレイパネルの製造方法であって、
前記乾燥フィルムレジストは、
前記第２方向に延長形成された、第１マスク幅を有する第１マスク部と、
前記第１マスク部に直交するように前記第１方向に延長形成された、第２マスク幅を有する第２マスク部とを備え、
（前記第１マスク幅）≧（前記第２マスク幅）の関係が成立すると共に、
前記第１及び前記第２マスク幅はそれぞれ前記第１及び前記第２間隔に基づき設定されていることを特徴とする、
面放電型プラズマディスプレイパネルの製造方法。
【手続補正２】
【補正対象書類名】明細書
【補正対象項目名】００３２
【補正方法】変更
【補正の内容】
【００３２】
【課題を解決するための手段】
請求項１にかかる発明は、第１基板と、前記第１基板と平行に対面し、前記第１基板との間の空間で以て、放電ガスによって満たされる複数の放電空間を形成する第２基板と、前記複数の放電空間に接するように前記第１基板の前記第２基板との対向面上に配設されており、前記複数の放電空間の各々に対応して第１及び第２壁電荷を蓄積しうる、誘電体と、前記第２基板の前記第１基板との対向面上に互いに平行に配設されており、可視光領域の光を反射し得ると共に、それぞれは第１側面部と、前記第１側面部に対向する第２側面部と、前記第１及び第２側面部に連続する第１頂上部とを備える複数の第１隔壁と、前記第２基板の前記対向面上に、前記複数の第１隔壁が配設される方向と交差する方向に配設された前記可視光領域の光を反射し得る第２隔壁と、前記複数の第１隔壁の内で互いに隣接する第１隔壁により挟まれた前記第２基板の前記対向面上と、前記隣接する第１隔壁の内の一方における前記第１側面部上及び他方における前記第２側面部上とに付着され、前記第１及び第２壁電荷間における放電により生ずる紫外線に基づき可視光を発生する蛍光体とを備えたことを特徴とする。


【手続補正３】
【補正対象書類名】明細書
【補正対象項目名】００３３
【補正方法】削除
【補正の内容】
【手続補正４】
【補正対象書類名】明細書
【補正対象項目名】００３４
【補正方法】変更
【補正の内容】
【００３４】
請求項２にかかる発明は、請求項１記載の面放電型プラズマディスプレイパネルであって、前記第２隔壁は、第３側面部と、前記第３側面部に対向する第４側面部と、前記第３及び第４側面部に連続する第２頂上部とを備え、前記蛍光体は、更に前記第２隔壁の前記第３及び第４側面部上にも付着されていることを特徴とする。


【手続補正５】
【補正対象書類名】明細書
【補正対象項目名】００３５
【補正方法】変更
【補正の内容】
【００３５】
請求項３にかかる発明は、請求項２記載の面放電型プラズマディスプレイパネルであって、前記第２基板から前記複数の第１隔壁における前記第１頂上部に至る第１高さと、前記第２基板から前記第２隔壁の前記第２頂上部に至る第２高さとは、略等しいことを特徴とする。


【手続補正６】
【補正対象書類名】明細書
【補正対象項目名】００３６
【補正方法】変更
【補正の内容】
【００３６】
請求項４にかかる発明は、請求項２記載の面放電型プラズマディスプレイパネルであって、前記第２基板から前記第２隔壁における前記第２頂上部に至る第２高さは、前記第２基板から前記第１隔壁における前記第１頂上部に至る第１高さよりも低いことを特徴とする。


【手続補正７】
【補正対象書類名】明細書
【補正対象項目名】００３７
【補正方法】変更
【補正の内容】
【００３７】
請求項５にかかる発明は、請求項４記載の面放電型プラズマディスプレイパネルであって、前記蛍光体は、更に前記第２隔壁の前記第２頂上部上にも付着されていることを特徴とする。


【手続補正８】
【補正対象書類名】明細書
【補正対象項目名】００３８
【補正方法】変更
【補正の内容】
【００３８】
請求項６にかかる発明は、請求項４記載の面放電型プラズマディスプレイパネルであって、前記第２高さは、前記隣接する第１隔壁と、前記第２隔壁の前記第２頂上部と、前記誘電体とにより規定される気体の流路に対応する排気コンダクタンスと、前記第１基板から外部へ放射される表示光の輝度との相関関係に基づき、設定されていることを特徴とする。


【手続補正９】
【補正対象書類名】明細書
【補正対象項目名】００３９
【補正方法】変更
【補正の内容】
【００３９】
請求項７にかかる発明は、請求項６記載の面放電型プラズマディスプレイパネルであって、前記第１高さ及び前記第２高さをそれぞれ記号Ｈmain、Ｈsubと表記し、前記第２隔壁の幅を記号Ｌと表記し、前記流路に内接する四角形の内で最大面積の四角形に関して、前記第２頂上部側の第１側辺の長さを記号ｂと表記し、前記第１側辺に直交する第２側辺の長さを記号ａと表記すると共に、前記第２側辺長ａを（Ｈmain−Ｈsub）として定義し、前記排気コンダクタンスを決定する形状因子βを、β＝（ａ・ｂ）2／（（ａ＋ｂ）・Ｌ）として定義すると、前記形状因子βは、１．５Ｅ−４ｍｍ2≦β＜（Ｈmain・ｂ）2／（（Ｈmain＋ｂ）・Ｌ）で与えられる関係を満足することを特徴とする。


【手続補正１０】
【補正対象書類名】明細書
【補正対象項目名】００４０
【補正方法】変更
【補正の内容】
【００４０】
請求項８にかかる発明は、請求項４記載の面放電型プラズマディスプレイパネルであって、前記第２高さは、前記複数の放電空間の全てがプライミング放電を起こし得る最小のプライミング電圧に基づき、設定されていることを特徴とする。


【手続補正１１】
【補正対象書類名】明細書
【補正対象項目名】００４１
【補正方法】変更
【補正の内容】
【００４１】
請求項９にかかる発明は、請求項８記載の面放電型プラズマディスプレイパネルであって、前記第１高さ及び前記第２高さをそれぞれ記号Ｈmain、Ｈsubと表記し、前記第２隔壁の幅を記号Ｌと表記し、高低差（Ｈmain−Ｈsub）を記号ａとして表記し、前記任意の第１隔壁の内の前記一方の前記第１側面部と前記他方の前記第２側面部との間隔を記号ｂとして表記し、前記放電ガスの圧力を記号ｐとして表記し、放電形状因子Ｋを、Ｋ＝（ａ・ｂ）／（ｐ・Ｌ）として定義すると、前記放電形状因子Ｋは０．０３μｍ／Ｔｏｒｒ以上であることを特徴とする。


【手続補正１２】
【補正対象書類名】明細書
【補正対象項目名】００４２
【補正方法】変更
【補正の内容】
【００４２】
請求項１０にかかる発明は、請求項２記載の面放電型プラズマディスプレイパネルであって、その各々が、前記第１基板の前記対向面上に第１方向に沿って互いに平行に延長形成された第１及び第２表示電極より成り、かつ、それらの電極が各表示ラインを構成する、前記誘電体で被覆される複数の電極対を更に備え、前記第２基板は、その各々が、前記任意の第１隔壁間に位置するように、前記第１方向に直交する第２方向に沿って延長配設された、複数のアドレス電極を備え、前記複数の放電空間の各々は、前記複数の電極対の内で対応する一つの電極対と、前記一つの電極対にあたかも直交するように配設されている、前記複数のアドレス電極の内で対応する一つのアドレス電極とによって規定されており、前記第１及び第２表示電極は共に、透明導電膜と、前記透明導電膜の前記複数の放電空間との対向面であって、隣の表示ライン側の領域上に設けられた金属電極とを備えており、前記第２隔壁は前記第１方向に沿って延長形成されており、前記複数の第１隔壁は前記第２方向に沿って延長形成されており、前記第２隔壁は、前記第２基板の前記対向面上における、前記複数の放電空間の内で前記第２隔壁によって隣りの放電空間と隔離される放電空間に対応する前記第１表示電極を構成する前記金属電極と対面する第１領域内に設けられている。請求項１１に係る発明は、前記第２隔壁の前記第３側面部が、前記第２基板の前記対向面上における、前記第１表示電極を構成する前記金属電極が形成された部分を除く、前記透明導電膜の部分に対面する第２領域内にあることを特徴とする。


【手続補正１３】
【補正対象書類名】明細書
【補正対象項目名】００４３
【補正方法】変更
【補正の内容】
【００４３】
請求項１２にかかる発明は、請求項１１記載の面放電型プラズマディスプレイパネルであって、前記第２隔壁は、更に、前記第２基板の前記対向面上における、前記隣りの放電空間に対応する前記第２表示電極を構成する前記金属電極と対面する第３領域内に設けられており、かつ、前記第２隔壁の前記第４側面部が、前記第２基板の前記対向面上における、前記第２表示電極を構成する前記金属電極が形成された部分を除く、前記透明導電膜の部分に対面する第４領域内にあることを特徴とする。


【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】変更
【補正の内容】
【００４６】
請求項１３にかかる発明は、請求項２記載の面放電型プラズマディスプレイパネルであって、その各々が、表示ラインを構成するように、前記第１基板の前記対向面上に第１方向に沿って互いに平行に延長形成され、前記誘電体によって被覆された第１及び第２表示電極から成る複数の電極対を備え、前記第２基板は、その各々が、前記隣接する第１隔壁間に位置するように、前記第１方向に直交する第２方向に沿って延長配設された、複数のアドレス電極を備え、前記複数の放電空間が、各々、前記複数の電極対と前記複数のアドレス電極との交差部分によって規定されており、前記第２隔壁及び前記他の第２隔壁は共に前記第１方向に沿って延長形成されると共に、前記複数の第１隔壁は前記第２方向に沿って延長形成されており、前記複数の放電空間の各々に対応して前記第２隔壁の少なくとも第３側面部又は第４側面部の何れかが設けられていることを特徴とする。


【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】変更
【補正の内容】
【００４９】
請求項１４にかかる発明は、プラズマディスプレイ装置であって、請求項１０ないし請求項１３の何れかに記載の前記面放電型プラズマディスプレイパネルと、前記第１及び第２表示電極並びに前記複数のアドレス電極のそれぞれに印加すべき駆動信号を生成・出力する駆動制御部とを備えることを特徴とする。


【手続補正２０】
【補正対象書類名】明細書
【補正対象項目名】００５０
【補正方法】変更
【補正の内容】
【００５０】
請求項１５にかかる発明は、面放電型プラズマディスプレイパネルの製造方法であって、（ａ）第１基板との間に、放電ガスで満たされる複数の放電空間を定め、且つ、第２方向に沿って延長形成された複数のアドレス電極を備える第２基板を準備する工程と、（ｂ）互いに隣り合う第１隔壁の間に前記複数のアドレス電極の各々が位置するように、前記第２方向に互いに平行に第１間隔を隔てて延長形成された複数の第１隔壁と、前記複数の第１隔壁と直交するように、前記第２方向に直交する第１方向に沿って互いに平行に第２間隔を隔てて延長形成された複数の第２隔壁とを、前記第２基板上に形成する工程と、（ｃ）前記複数の第１隔壁の内で互いに隣接する第１隔壁により挟まれた前記第２基板の領域上と、前記隣接する第１隔壁の内の一方における第１側面部上と、当該第１側面部に対面する他方における第２側面部上とに、蛍光体を付着させる工程とを含むことを特徴とする。


【手続補正２１】
【補正対象書類名】明細書
【補正対象項目名】００５１
【補正方法】変更
【補正の内容】
【００５１】
請求項１６にかかる発明は、請求項１５記載の面放電型プラズマディスプレイパネルの製造方法であって、前記工程（ａ）は、（ａ−１）前記第１及び第２間隔に基づき定められた網目状パターンを備えるマスクを生成するための部材を準備する工程を含み、前記工程（ｂ）は、前記部材より前記マスクを生成し、前記マスクに基づき前記複数の第１隔壁と前記複数の第２隔壁とを同時に形成する工程であることを特徴とする。


【手続補正２２】
【補正対象書類名】明細書
【補正対象項目名】００５２
【補正方法】変更
【補正の内容】
【００５２】
請求項１７にかかる発明は、請求項１６記載の面放電型プラズマディスプレイパネルの製造方法であって、前記工程（ａ−１）は、（ａ−１−２）ガラスペーストを準備する工程と、（ａ−１−３）所定の感光性フィルムを前記部材として準備する工程とを更に含み、前記工程（ｂ）は、（ｂ−１）所定の厚みの前記ガラスペーストを前記第２基板上に全面的に形成する工程と、（ｂ−２）前記ガラスペーストの表面上に前記感光性フィルムを貼付しリソグラフィ法によって前記網目状パターンを備える乾燥フィルムレジストを前記マスクとして形成し、前記乾燥フィルムレジストの網目をなす開孔部を介して露出する前記ガラスペーストの露出表面より前記ガラスペーストをサンドブラスト法により穿設し、穿設孔が前記第２基板に達するまで前記サンドブラスト法による穿設を続行する工程とを含むことを特徴とする。


【手続補正２３】
【補正対象書類名】明細書
【補正対象項目名】００５３
【補正方法】変更
【補正の内容】
【００５３】
請求項１８にかかる発明は、請求項１７記載の面放電型プラズマディスプレイパネルの製造方法であって、前記乾燥フィルムレジストは、前記第２方向に延長形成された、第１マスク幅を有する第１マスク部と、前記第１マスク部に直交するように前記第１方向に延長形成された、第２マスク幅を有する第２マスク部とを備え、（前記第１マスク幅）≧（前記第２マスク幅）の関係が成立すると共に、前記第１及び前記第２マスク幅はそれぞれ前記第１及び前記第２間隔に基づき設定されていることを特徴とする。


【手続補正２４】
【補正対象書類名】明細書
【補正対象項目名】００５４
【補正方法】削除
【補正の内容】
【手続補正２５】
【補正対象書類名】明細書
【補正対象項目名】００５５
【補正方法】削除
【補正の内容】
【手続補正２６】
【補正対象書類名】明細書
【補正対象項目名】０２４７
【補正方法】変更
【補正の内容】
【０２４７】
請求項１に係る発明によれば、第２隔壁で互いに隔離される任意の放電空間同士について、一方の放電空間で生じた可視光の他方の放電空間への発光もれを完全に抑止または十分に低減化することができ、当該第２隔壁に沿った画素に関して、色バランスへの影響を完全にまたは十分に抑え、且つ、色にじみの無いかまたは殆ど無い、より鮮明な画像を表示することができ、画質の向上を図ることができるという効果を奏する。従って、例えば当該第２隔壁をパネル全面にわたる領域内に設けるときには、高輝度の画質の極めて良いパネルを実現することができる。


【手続補正２７】
【補正対象書類名】明細書
【補正対象項目名】０２４９
【補正方法】変更
【補正の内容】
【０２４９】
請求項２に係る発明によれば、蛍光体が、第１隔壁の第１及び第２側面部上のみならず、第２隔壁の第３及び第４側面部上にも付着されているので、第２隔壁で互いに隔離される任意の放電空間同士のそれぞれの単位発光領域について、次の２つの効果（１）、（２）を奏する。


【手続補正２８】
【補正対象書類名】明細書
【補正対象項目名】０２５３
【補正方法】変更
【補正の内容】
【０２５３】
請求項３に係る発明によれば、第１隔壁の第１高さと第２隔壁の第２高さとは略等しいので、第２隔壁で互いに隔離される任意の放電空間同士について、隣り合う第１隔壁の存在により得られる効果を従来技術と同様に発揮させつつ、更に、１）紫外線の損失を低減することによる高輝度化、２）発光漏れの抑止、３）放電漏れの抑止という効果を重畳的に奏することが出来る。


【手続補正２９】
【補正対象書類名】明細書
【補正対象項目名】０２５４
【補正方法】変更
【補正の内容】
【０２５４】
請求項４に係る発明によれば、第２隔壁の第２高さは第１隔壁の第１高さよりも低く設定されているので、第２隔壁で互いに隔離される任意の放電空間同士について、隣り合う第１隔壁の存在により得られる効果を従来技術と同様に発揮させつつ、更に、次の効果（１）、（２）を得ることができる。


【手続補正３０】
【補正対象書類名】明細書
【補正対象項目名】０２５７
【補正方法】変更
【補正の内容】
【０２５７】
請求項５に係る発明によれば、第２隔壁の第２頂上部上にも蛍光体が付着されているので、第２隔壁で互いに隔離される任意の放電空間同士について、１）紫外線の損失を低減することによる高輝度化及び２）発光漏れの抑止という効果を更に一層向上させることができる。即ち、第２隔壁の第２頂上部と誘電体の表面との間隙に伝搬してきた紫外線が第２頂上部上の蛍光体により吸収される場合が発生し、又、当該間隙に伝搬してきた可視光が第２頂上部上の蛍光体の表層によって観視者側に反射される場合も発生する結果、上記の効果１）、２）がより一層促進される。


【手続補正３１】
【補正対象書類名】明細書
【補正対象項目名】０２５８
【補正方法】変更
【補正の内容】
【０２５８】
請求項６に係る発明によれば、排気コンダクタンスと表示光の輝度との相関関係に基づき第１高さと第２高さの高低差が設定されているので、第２隔壁で互いに隔離される任意の放電空間同士について、１）紫外線の損失を低減することによる高輝度化、２）発光漏れの抑止、３）放電漏れの抑止を図ると共に、４）プラズマディスプレイパネルの製作時における各放電空間の排気及び各放電空間への放電ガスの封入の容易化を図ることが可能となる。


【手続補正３２】
【補正対象書類名】明細書
【補正対象項目名】０２５９
【補正方法】変更
【補正の内容】
【０２５９】
請求項７に係る発明によれば、形状因子βを１．５Ｅ−４ｍｍ２以上とし、且つ、（Ｈmain・ｂ）２／（（Ｈmain＋ｂ）・Ｌ）で与えられる値よりも小さくしているので、第２隔壁で互いに隔離される任意の放電空間同士に於いて、プラズマディスプレイパネルの製作時の各放電空間の排気及び各放電空間への放電ガスの封入を容易に且つ確実に実現可能としつつ、放電動作の安定化をも図ることができる。特に形状因子βを１．５Ｅ−４ｍｍ２に近づける程、放電動作の安定化をより一層図ることができ、１）紫外線の損失を低減することによる高輝度化、２）発光漏れの抑止、３）放電漏れの抑止という効果を最大限発揮させることが可能となる。


【手続補正３３】
【補正対象書類名】明細書
【補正対象項目名】０２６０
【補正方法】変更
【補正の内容】
【０２６０】
請求項８に係る発明によれば、複数の放電空間の全てがプライミング放電を起こし得る最小のプライミング電圧に基づき、第１高さと第２高さの高低差が設定されているので、第２隔壁で互いに隔離される任意の放電空間同士に於いて、それぞれの放電空間に対してプライミング放電を同時に且つ確実に発生させつつ、それぞれの放電空間に於ける放電動作の安定化を図ると共に、１）紫外線の損失を低減することによる高輝度化、２）発光漏れの抑止、３）放電漏れの抑止という効果を重畳的に得ることができる。


【手続補正３４】
【補正対象書類名】明細書
【補正対象項目名】０２６１
【補正方法】変更
【補正の内容】
【０２６１】
請求項９に係る発明によれば、第２隔壁で互いに隔離される任意の放電空間同士に於いて、各放電空間に対してプライミング放電を同時に且つ確実に発生させ得る最小のプライミング電圧を最適化することができるので、次の効果（１）〜（４）を奏することができる。


【手続補正３５】
【補正対象書類名】明細書
【補正対象項目名】０２６６
【補正方法】変更
【補正の内容】
【０２６６】
請求項１０に係る発明によれば、第２隔壁の前記第３側面部が、第１表示電極の透明導電膜の内で金属電極が形成されていない部分に対面する、第２基板の対向面内の第２領域内に位置しているので、次の効果（１）、（２）を奏する。


【手続補正３６】
【補正対象書類名】明細書
【補正対象項目名】０２６８
【補正方法】変更
【補正の内容】
【０２６８】
（２）  任意の放電空間同士の内で第２隔壁の第３側面部によって隔離される側の放電空間に関して、第３側面部およびその上に付着された蛍光体が当該放電空間の内側へより一層に張り出した状態が実現されている結果、第１表示電極の透明導電膜の内で金属電極が形成されていない部分に対面する、第２基板の対向面の部分及び誘電体の部分間における放電空間で生じた紫外線が、より早く第３側面部上の蛍光体及び当該第２隔壁に到達することができることとなり、１）紫外線の損失を低減することによる高輝度化、２）発光漏れの抑止、３）放電漏れの抑止という効果をより一層発揮させることが出来る。


【手続補正３７】
【補正対象書類名】明細書
【補正対象項目名】０２６９
【補正方法】変更
【補正の内容】
【０２６９】
請求項１２に係る発明によれば、第２隔壁の前記第４側面部もまた、第２表示電極の透明導電膜の内で金属電極が形成されていない部分に対面する、第２基板の対向面内の第４領域内にあるので、更に次の効果（１）、（２）を奏する。


【手続補正３８】
【補正対象書類名】明細書
【補正対象項目名】０２７１
【補正方法】変更
【補正の内容】
【０２７１】
（２）  任意の放電空間同士の内で第２隔壁の第４側面部によって隔離される隣りの放電空間に関しても、第４側面部およびその上に付着された蛍光体が当該放電空間の内側へより一層に張り出した状態が実現されているので、第２表示電極の透明導電膜の内で金属電極が形成されていない部分に対面する、第２基板の対向面の部分及び誘電体の部分間における放電空間で生じた紫外線が、より早く第４側面部上の蛍光体及び当該第２隔壁に到達することができることとなり、１）紫外線の損失を低減することによる高輝度化、２）発光漏れの抑止、３）放電漏れの抑止という効果を更により一層発揮させることが出来る。


【手続補正３９】
【補正対象書類名】明細書
【補正対象項目名】０２７２
【補正方法】削除
【補正の内容】
【手続補正４０】
【補正対象書類名】明細書
【補正対象項目名】０２７３
【補正方法】削除
【補正の内容】
【手続補正４１】
【補正対象書類名】明細書
【補正対象項目名】０２７４
【補正方法】変更
【補正の内容】
【０２７４】
請求項１３に係る発明によれば、任意の画素の単位発光領域について、同様の効果が得られる。


【手続補正４２】
【補正対象書類名】明細書
【補正対象項目名】０２７５
【補正方法】削除
【補正の内容】
【手続補正４３】
【補正対象書類名】明細書
【補正対象項目名】０２７６
【補正方法】削除
【補正の内容】
【手続補正４４】
【補正対象書類名】明細書
【補正対象項目名】０２７７
【補正方法】削除
【補正の内容】
【手続補正４５】
【補正対象書類名】明細書
【補正対象項目名】０２７８
【補正方法】削除
【補正の内容】
【手続補正４６】
【補正対象書類名】明細書
【補正対象項目名】０２７９
【補正方法】削除
【補正の内容】
【手続補正４７】
【補正対象書類名】明細書
【補正対象項目名】０２８０
【補正方法】削除
【補正の内容】
【手続補正４８】
【補正対象書類名】明細書
【補正対象項目名】０２８１
【補正方法】変更
【補正の内容】
【０２８１】
請求項１４に係る発明によれば、請求項１０ないし請求項１３の何れかに記載の面放電型プラズマディスプレイパネルにおいて得られる効果を奏することが可能な面放電型プラズマディスプレイ装置を実現することが出来る。


【手続補正４９】
【補正対象書類名】明細書
【補正対象項目名】０２８２
【補正方法】変更
【補正の内容】
【０２８２】
請求項１５に係る発明によれば、２つの隣合う第１隔壁と、２つの隣合う第２隔壁とで囲まれた升形状の放電空間毎に蛍光体が付着された第２基板を実現することができる。従って、１）紫外線の損失を低減することによる高輝度可、２）発光漏れの抑止、３）放電漏れの抑止という効果を全て同時に奏する面放電型プラズマディスプレイパネルを実現することも可能となる。


【手続補正５０】
【補正対象書類名】明細書
【補正対象項目名】０２８３
【補正方法】変更
【補正の内容】
【０２８３】
請求項１６に係る発明によれば、網目状パターンを備えるマスクに基づいて、容易に複数の第１隔壁と複数の第２隔壁とを同時に形成することができる。


【手続補正５１】
【補正対象書類名】明細書
【補正対象項目名】０２８４
【補正方法】変更
【補正の内容】
【０２８４】
請求項１７に係る発明によれば、従来用いられてきたサンドブラスト法をそのまま踏襲して、同一高さの第１隔壁と第２隔壁とを同時に形成することができる。


【手続補正５２】
【補正対象書類名】明細書
【補正対象項目名】０２８５
【補正方法】変更
【補正の内容】
【０２８５】
請求項１８に係る発明によれば、従来用いられてきたサンドブラスト法をそのまま踏襲しつつ、第１隔壁とそれよりも低い第２隔壁とを同時に形成することができる。


【手続補正５３】
【補正対象書類名】明細書
【補正対象項目名】０２８６
【補正方法】削除
【補正の内容】